(57)【特許請求の範囲】
【請求項１】
複数の浴槽に溢水した浴槽水を回収する回収路をそれぞれ設け、同回収路の末端から吐水される回収された浴槽水をスクリーンを介して収容する回収槽を設け、同回収槽に収容した浴槽水を浄化して送出する濾過器を備えたポンプを設け、同ポンプで送出された浄化した浴槽水を各浴槽に供給する送出管をそれぞれ設け、各浴槽の下部に浴槽水の一部を回収槽に導出する導出管をそれぞれ設け、又各導出管の途中に逆止弁を設け、各導出管の逆止弁の下流側を接続して一本の共通導出管と成し、同共通導出管の途中に流量調整弁と開閉弁とを設け、ポンプが停止したときに前記開閉弁を閉路させる制御手段を設け、各送出管の途中に流量調整弁をそれぞれ設け、各浴槽毎に水位の高低差を任意に設定できるようにし、各送出管の途中に逆止弁をそれぞれ設け、各送出管に浴槽内から吐水できる吐水口をそれぞれ設け、送出管の途中に送出管内を流れる浴槽水を所定温度に加温する加温器を設け、浴槽内の浴槽水を常時一定温度に保持できるようにし、浴槽水を各浴槽に常時溢水するように供給し、溢水した浴槽水を再利用して循環させて常時溢水させることにより浴槽内を衛生的に保持できるようにした浴槽水循環装置。
【発明の詳細な説明】
【０００１】
【発明の属する技術分野】
本発明は、公衆浴場において複数の浴槽の浴槽水を一系統で常時循環させる装置に関する。
【０００２】
【従来の技術】
従来の公衆浴場は、図３に示すように複数の浴槽１１を連通管１２で接続して水位をそれぞれ均等に保持できるようにするとともに、給水器１３で各浴槽１１に給水するようにした構造である。１４は排水管である。
ところで、複数の浴槽１１内の浴槽水Ｗを一定水位に保持するために、各浴槽１１に図示しない水位計をそれぞれ設けて入浴者による溢水した分を検知して補水しているが、溢水した浴槽水Ｗは全て排水されており無駄となっていた。
また、溢水されなかった浴槽水Ｗは常時に浴槽１１内にあるから、徐々に沈澱物が溜まって不衛生であった。
さらに、各浴槽１１同士は連通管１２で接続して互いの水位を均等に保持する構造なので、各浴槽を同じ高さにする必要があり施工ミスが多発していた。
【０００３】
【発明が解決しようとする課題】
本発明が解決しようとする課題は、従来のこれらの問題点を解消し、溢水した浴槽水を回収して再利用することにより節水できるようにし、しかも溢水を常時行わせて濾過・循環することにより浴槽内を衛生的に保持できるようにした浴槽水循環装置を提供することにある。
【０００４】
【課題を解決するための手段】
かかる課題を解決した本発明の構成は、
１）  複数の浴槽に溢水した浴槽水を回収する回収路をそれぞれ設け、同回収路の末端から吐水される回収された浴槽水をスクリーンを介して収容する回収槽を設け、同回収槽に収容した浴槽水を浄化して送出する濾過器を備えたポンプを設け、同ポンプで送出された浄化した浴槽水を各浴槽に供給する送出管をそれぞれ設け、各浴槽の下部に浴槽水の一部を回収槽に導出する導出管をそれぞれ設け、又各導出管の途中に逆止弁を設け、各導出管の逆止弁の下流側を接続して一本の共通導出管と成し、同共通導出管の途中に流量調整弁と開閉弁とを設け、ポンプが停止したときに前記開閉弁を閉路させる制御手段を設け、各送出管の途中に流量調整弁をそれぞれ設け、各浴槽毎に水位の高低差を任意に設定できるようにし、各送出管の途中に逆止弁をそれぞれ設け、各送出管に浴槽内から吐水できる吐水口をそれぞれ設け、送出管の途中に送出管内を流れる浴槽水を所定温度に加温する加温器を設け、浴槽内の浴槽水を常時一定温度に保持できるようにし、浴槽水を各浴槽に常時溢水するように供給し、溢水した浴槽水を再利用して循環させて常時溢水させることにより浴槽内を衛生的に保持できるようにした浴槽水循環装置
にある。
【０００５】
【作用】
本発明によれば、浴槽水を各浴槽に供給して溢水させ、溢水した浴槽水を回収槽に回収して浄化し、これを再び各浴槽に供給する。この一連の工程を常時反復することにより浴槽水が循環され、浴槽水を再利用して節水しながら浴槽内が衛生的に保持される。
【０００６】
【発明の実施の形態】
本発明では、各浴槽の底部から流量調整弁を介して回収槽に導出する導出管を設けると、供給した浴槽水が表面流となって直ちに溢水するのを防止して浴槽内全域に渡って循環され、浴槽内がより衛生的に保持されるとともに浴槽内の水温差が低減できる。
回収路の途中にポンプの停止時に閉路する開閉弁を設けると、浴槽の水位が必要水位以下に低下するのが防止できるとともに、回収槽に過剰に回収されて溢水するのを防止できる。
各導出管を逆止弁を介して接続して一本の共通導出管とすると、各浴槽の導出水量を一箇所で任意に調整できるようになり設備の低コスト化を図るとともに、各浴槽の設置高さを異らせる等設計自由度を高めることができる。
各送出管の途中に流量調整弁を設けると、各浴槽毎の水位の高低差を任意に設定できる。
各送出管の途中に逆止弁を介して浴槽内から吐水できる吐水口を設けると、浴槽内が全域に渡って常時浴槽水が入れ換わることにより、浴槽内がより衛生的に保持される。
回収槽に槽内が所定水位以下になると補水する補水路を設けると、入浴者が使用あるいは浴槽への出入り等により排水された分を補完し、回収槽内の浴槽水を常時一定水位に保持して各浴槽に安定供給できて好ましい。
送出管の途中に加温器を設けると、浴槽内の浴槽水を常時一定温度に保持して快適に使用できる。
本発明の浴槽水循環装置は、公衆浴場など複数の浴槽を一系統で管理するためのものであるが、単独の浴槽にも問題なく運用できるものである。
【０００７】
以下、本発明の実施例を図面に基づいて具体的に説明する。
【０００８】
【実施例】
図１，２に示す実施例は、複数の浴槽を備えた公衆浴場に本発明の浴槽水循環装置を適用した例である。
図１は、実施例の浴槽水循環装置の説明図である。
図２は、実施例の浴槽水の循環を示す概略図である。
図中、１は浴槽であって、内部の片側にステップ１ａを有し、同ステップ１ａ側に溢水した浴槽水を受け入れる溢水受溝１ｂを設けている。
２は回収路であって、溢水受溝１ｂの下部から浴槽１の外部に導出するように設け、途中で他の浴槽１のものと接続して一本化し、常時開放させている。
３は回収槽であって、上方に回収路２の末端から浴槽水を受け入れる開口を有し、同開口に浴槽水内の異物を除去するスクリーン３ａを設けている。
４はポンプであって、図示しない濾過器を内蔵しており、回収槽３内の浴槽水を汲み上げて浄化し送出できるようにしている。
５は送出管であって、ポンプ４で送出された浴槽水を各浴槽１毎に分岐して供給できるように設け、途中に流量調整弁５ａ及び逆止弁５ｂをそれぞれ設け、各浴槽１の水面上及び浴槽１内から吐水できる吐水口５ｃ，５ｄをそれぞれ設けている。
６は導出管であって、浴槽水を各浴槽１の底部から回収槽３に導出するように逆止弁６ａを介してそれぞれ設け、途中に流量調整弁６ｂを設けて導出水量を調整できるようにしている。また、途中に電動開閉弁６ｃを設け、図示しないインターロックによりポンプ４が停止すると自動的に導出管６を閉路できるようにしている。
７は補水器であって、外部の補給水管７ａと接続し、回収槽３内の浴槽水の水位を検知する水位センサ７ｃと連動して作動する電動弁７ｂを設け、回収槽３内が所定水位以下になると補水器７で補水して常時一定水位を保持できるようにしている。
８は加温器であって、ポンプ４で送出された浴槽水を所定の入浴温度に加温できるようにしている。
９は排水管、Ｗは浴槽水である。
【０００９】
本実施例では、まず、回収槽３内の浴槽水Ｗが必要な水位にない場合は補水器７で補水して所定水位を満足させる。
次に回収槽３内の浴槽水Ｗをポンプ４で所定水量汲み上げて内蔵された濾過器で浄化して送出する。
次に、ポンプ４で送出された浄化した浴槽水Ｗを加温器８に通水しておよそ４０〜４３℃の入浴温度に加温する。
次に、加温した浴槽水Ｗを送出管５で各浴槽１に送水する。このとき、通常は流量調整弁５ａを開放して送水できるようにしているが、例えばある浴槽１のみを空にして清掃したい場合は対応する流量調整弁５ａを閉路することにより送水を停止して浴槽１内を排水することで可能となる。
次に、送水した浴槽水Ｗを各浴槽１内に吐水して徐々に満たしていき、浴槽１内が満水になっても吐水を停止させず溢水させる。
次に、溢水した浴槽水Ｗを回収路２で回収槽３に回収するとともに浴槽１の底部からも導出管６で回収槽３に導出する。導出管６による導出水量は途中の流量調整弁６ｂを開閉調整することで総循環水量に変動を与えずに設計循環水量を維持させる。
そして、回収槽３に回収された浴槽水Ｗは再びポンプ４及び加温器８を通じて各浴槽１に送出される。
以上の各工程を反復することにより浴槽水Ｗが常時循環されることとなる。
【００１０】
図２は浴槽水の循環を示す概略図である。Ｑ1は溢水量、Ｑ2は導出水量、Ｑ3 は循環水量、△Ｑは排水量を示しており、Ｑ3＝Ｑ1＋Ｑ2＋△Ｑの式が成り立つ。本実施例ではＱ3 を１００とすると、およそＱ1は６５％、Ｑ2は３０％、△Ｑは５％の割合で浴槽水Ｗが常時循環するようにしている。不特定多数の入浴者が各浴槽１に入って過剰に溢水してもＱ1とＱ2の返りは１００となり、浴槽１の水位は数分で元に戻る。また、△Ｑは入浴者による使用及び出入りで失われる水量で、排水された分は回収槽３に補水されて所定の運転水位が保持される。
【００１１】
本実施例では以上のように構成したから以下のような作用効果を奏する。
１）浴槽を積極的に溢水させて浴槽内の浴槽水を常時入れ換えるので衛生的である。
２）溢水させた浴槽水は排水せず回収して濾過・再供給するので節水できる。
３）各浴槽毎の水位の管理が独立しているので、いずれか一つの浴槽を空にして個別に清掃等が行えるとともに水位も各浴槽毎に任意に定めることができる。
４）各浴槽毎の水位の管理が独立しているので、各浴槽の設置高さを任意に異ならせることができて浴場の設計自由度が高まり、しかも高低差による施工ミスも低減できる。
５）一度加温した浴槽水を回収・循環させることにより、溢水した分を補水して加温しないので熱エネルギの損失を抑えることができる。
【００１２】
【発明の効果】
以上説明したように、本発明によれば溢水した浴槽水を回収して再利用することにより節水できるようにし、しかも溢水を常時行わせて濾過・循環することにより浴槽内を衛生的に保持できる浴槽水循環装置を提供できる。
【図面の簡単な説明】
【図１】実施例の浴槽水循環装置の説明図である。
【図２】実施例の浴槽水の循環を示す概略図である。
【図３】従来の浴槽の説明図である。
【符号の説明】
１  浴槽
１ａ  ステップ
１ｂ  溢水受溝
２  回収路
３  回収槽
３ａ  スクリーン
４  ポンプ
５  送出管
５ａ  流量調整弁
５ｂ  逆止弁
５ｃ，５ｄ  吐水口
６  導出管
６ａ  逆止弁
６ｂ  流量調整弁
６ｃ  電動開閉弁
７  補水器
７ａ  補給水管
７ｂ  電動弁
７ｃ  水位センサ
８  加温器
９  排水管
１１  浴槽
１２  連通管
１３  給水器
１４  排水管
Ｗ  浴槽水
【図１】
0004215427.tif 000002
【図２】
0004215427.tif 000003
【図３】
0004215427.tif 000004